(57)【特許請求の範囲】
【請求項１】
磁性体コアと、
前記磁性体コアが挿通されるコイルを構成する第１電線と、
本体部から延びる２本のリード端子である第１端子及び第２端子を有して前記コイルに対して直列に接続されるコンデンサと、
前記コンデンサに接続する第２電線と、
樹脂で構成され、少なくとも前記コンデンサを収容するコンデンサ収容部及び前記磁性体コアを収容するコア収容部を有するベースとを備え、
前記コンデンサ収容部は、底壁と該底壁を囲むように設けられる周壁及び隔壁によって区画される第１収容部および第２収容部を有し、
前記第１収容部は、前記コンデンサの前記第１端子の少なくとも一部分と前記第１電線の接続部とを収容し、
前記第２収容部は、前記コンデンサの前記第２端子の少なくとも一部分と前記第２電線の接続部とを収容し、
前記第１収容部および前記第２収容部の底部には金属板または金属層を含む板により構成されるランド部材がそれぞれ設けられ、
前記コンデンサの前記第１端子と前記第１電線の接続部とは、前記第１収容部内で前記ランド部材上で半田接続により接続され、
前記コンデンサの前記第２端子と前記第２電線の接続部とは、前記第２収容部内で前記ランド部材上で半田接続により接続され、
前記第１電線において前記接続部とは反対側の部分と前記第２電線とは、ハーネスを構成する
アンテナモジュール。
【請求項２】
前記コンデンサ収容部は、前記第１収容部及び前記第２収容部に加えて、前記コンデンサの本体部を収容する第３収容部を有し、
前記第３収容部と前記第１収容部との間には、前記コンデンサの前記第１端子と前記第１電線とを保持する第１保持部が設けられ、
前記第３収容部と前記第２収容部との間には、前記コンデンサの前記第２端子と前記第２電線とを保持する第２保持部が設けられる
請求項１に記載のアンテナモジュール。
【請求項３】
前記第１保持部は、前記コンデンサの前記第１端子を挟持する第１端子用溝と、前記第１電線を挟持する第１電線用溝とを有し、
前記第２保持部は、前記コンデンサの前記第２端子を挟持する第２端子用溝と、前記第２電線を挟持する第２電線用溝を有する
請求項２に記載のアンテナモジュール。
【請求項４】
前記第１端子用溝の延長方向と前記第１電線用溝の延長方向とが交差し、
前記第２端子用溝の延長方向と前記第２電線用溝の延長方向とが交差する
請求項３に記載のアンテナモジュール。
【請求項５】
前記コンデンサ収容部は封止樹脂で充填される、請求項１〜請求項４のいずれか一項に記載のアンテナモジュール。
【請求項６】
前記コンデンサ収容部は、前記第２電線を案内する案内爪を備え、前記第２電線が前記案内爪に巻かれている、請求項１〜請求項５のいずれか一項に記載のアンテナモジュール。
【請求項７】
前記ベースは、前記コンデンサ収容部と前記コア収容部とは一体の部品として構成されている、請求項１〜請求項６のいずれか一項に記載のアンテナモジュール。
【請求項８】
前記ベースは、前記コア収容部を含む第１部材と、前記コンデンサ収容部を含む第２部材とを備え、係合により前記第１部材と前記第２部材とは結合されている、請求項１〜請求項６のいずれか一項に記載のアンテナモジュール。
【発明の詳細な説明】
【技術分野】
【０００１】
本発明は、車両ドアに搭載されるアンテナモジュールに関する。
【背景技術】
【０００２】
車両ドアのアウトサイドハンドルに内蔵されるアンテナモジュールとして、特許文献１に記載の技術が知られている。
特許文献１に記載のアンテナモジュールは、磁性体コアと、コイルと、コイルが接続されるコンデンサと、磁性体コアが取り付けられてかつコンデンサを保持する保持部材と、封止体と、これらを収容するケースと、２本のハーネスとを備える。保持部材は、コンデンサを配置する配置部と、２本のハーネスをそれぞれ支持する２個のハーネス端子とを有する。第１のハーネス端子には、第１のハーネスが接続され、第２のハーネス端子には、第２のハーネスが接続される。また、コイルの一方の端部は、第１のハーネス端子に接続され、コイルの他方の端部は、コンデンサの一方の端子に接続される。コンデンサの他方の端子は、第２のハーネス端子に接続される。
【先行技術文献】
【特許文献】
【０００３】
【特許文献１】特開２００８−２１１６４３号公報
【発明の概要】
【発明が解決しようとする課題】
【０００４】
このような、コイルとコンデンサとハーネスとの接続構造は、２個のハーネス端子が設けられた保持部材を前提とするものである。このような従来構造に対し、より簡潔な構造のアンテナモジュールを提供する。
【課題を解決するための手段】
【０００５】
（１）上記課題を解決するアンテナモジュールは、磁性体コアと、前記磁性体コアが挿通されるコイルを構成する第１電線と、本体部から延びる２本のリード端子である第１端子及び第２端子を有して前記コイルに対して直列に接続されるコンデンサと、前記コンデンサに接続する第２電線と、樹脂で構成され、少なくとも前記コンデンサを収容するコンデンサ収容部及び前記磁性体コアを収容するコア収容部を有するベースとを備え、前記コンデンサ収容部は、底壁と該底壁を囲むように設けられる周壁及び隔壁によって区画される第１収容部および第２収容部を有し、前記第１収容部は、前記コンデンサの前記第１端子の少なくとも一部分と前記第１電線の接続部とを収容し、前記第２収容部は、前記コンデンサの前記第２端子の少なくとも一部分と前記第２電線の接続部とを収容し、前記第１収容部および前記第２収容部の底部には金属板または金属層を含む板により構成されるランド部材がそれぞれ設けられ、前記コンデンサの前記第１端子と前記第１電線の接続部とは、前記第１収容部内で前記ランド部材上で半田接続により接続され、前記コンデンサの前記第２端子と前記第２電線の接続部とは、前記第２収容部内で前記ランド部材上で半田接続により接続され、前記第１電線において前記接続部とは反対側の部分と前記第２電線とは、ハーネスを構成する。この構成によれば、従来のアンテナモジュールに比べて接続箇所が少なく、構造が簡潔である。
【０００６】
（２）上記アンテナモジュールにおいて、前記コンデンサ収容部は、前記第１収容部及び前記第２収容部に加えて、前記コンデンサの本体部を収容する第３収容部を有し、前記第３収容部と前記第１収容部との間には、前記コンデンサの前記第１端子と前記第１電線とを保持する第１保持部が設けられ、前記第３収容部と前記第２収容部との間には、前記コンデンサの前記第２端子と前記第２電線とを保持する第２保持部が設けられる。この構成によれば、接続の際、コンデンサの端子と電線とを手で保持する必要がない。すなわち、この構成は、製造工程の簡略化に寄与する。
【０００７】
（３）上記アンテナモジュールにおいて、前記第１保持部は、前記コンデンサの前記第１端子を挟持する第１端子用溝と、前記第１電線を挟持する第１電線用溝とを有し、前記第２保持部は、前記コンデンサの前記第２端子を挟持する第２端子用溝と、前記第２電線を挟持する第２電線用溝を有する。この構成によれば、簡単な構造で、コンデンサの第１端子及び第２端子並びに第１電線及び第２電線が保持される。
【０００８】
（４）上記アンテナモジュールにおいて、前記第１端子用溝の延長方向と前記第１電線用溝の延長方向とが交差し、前記第２端子用溝の延長方向と前記第２電線用溝の延長方向とが交差する。この構成によれば、コンデンサの端子と電線の接続部とが良好に接続される。
【０００９】
（５）上記アンテナモジュールにおいて、前記コンデンサ収容部は封止樹脂で充填される。この構成により、コンデンサ及び電線の接続部に水が付着することが抑制される。
（６）上記アンテナモジュールにおいて、前記コンデンサ収容部は前記第２電線を案内する案内爪を備え、前記第２電線が前記案内爪に巻かれている。この構成により、第２電線の引っ張りに起因して、第２電線の接続部とコンデンサの第２端子との接続部に加わる応力が低減される。
【００１０】
（７）上記アンテナモジュールにおいて、前記ベースは、前記コンデンサ収容部と前記コア収容部とは一体の部品として構成されている。アンテナモジュールは、これらが別体として構成されるものに比べて、部品数が少ない。
【００１１】
（８）上記アンテナモジュールにおいて、前記ベースは、前記コア収容部を含む第１部材と、前記コンデンサ収容部を含む第２部材とを備え、係合により前記第１部材と前記第２部材とは結合されている。
【発明の効果】
【００１２】
上記アンテナモジュールは簡潔な構造を有する。
【図面の簡単な説明】
【００１３】
【図１】アウトサイドハンドルの平面図。
【図２】図１のＡ−Ａ線に沿うアウトサイドハンドルの断面図。
【図３】第１実施形態に係るアンテナモジュールの斜視図。
【図４】第１実施形態に係るアンテナモジュールの分解斜視図。
【図５】第１実施形態に係るアンテナモジュールの平面図。
【図６】図５のＢ−Ｂ線に沿うアンテナモジュールの断面図。
【図７】第１実施形態に係るアンテナモジュールの底面図。
【図８】コンデンサ収容部の斜視図。
【図９】コンデンサを収容したコンデンサ収容部の斜視図。
【図１０】コンデンサと電線とが半田接続されたコンデンサ収容部の斜視図。
【図１１】第２実施形態に係るアンテナモジュールの斜視図。
【図１２】第２実施形態に係るアンテナモジュールについて、（ａ）は、第１部材を含む構造体の斜視図、（ｂ）は、第２部材の斜視図。
【発明を実施するための形態】
【００１４】
アンテナモジュール１０の用途の一例を説明する。例えば、アンテナモジュール１０は、車両に装備される無線装置のアンテナとして用いられる。
無線装置は、エントリシステム（無線通信により車両ドアの施錠及び開錠を行うことができるシステム）の一部を構成する。無線装置は、本体機と、無線信号を送受信するアンテナと、アンテナを介して本体機と無線通信する携帯機とを備える。例えば、本体機は、アンテナを介して要求信号を送信し、携帯機が要求信号を受信したときに送信する応答信号の受信に基づいて、携帯機の位置を検出する。アンテナモジュール１０は、このようなシステムのアンテナに用いられる。
【００１５】
図１及び図２に示されるように、アンテナモジュール１０は、車両ドアのアウトサイドハンドル１内に配置される。アウトサイドハンドル１は、アンテナモジュール１０を収容するモジュール収容室３を備えるグリップ部２と、グリップ部２の一端部から突出する第１突出部４と、グリップ部２の他端部から突出する第２突出部５とを有する。第１突出部４は、回転軸を介して車両ドアに係合する。第２突出部５は、車両ドア側に配置されるベルクランクに係合する。ベルクランクは、その動作により、車両ドアに搭載されるロック機構（車両ドアの施錠を制御する機構）を動作させる。
【００１６】
アンテナモジュール１０のハーネス１７（後述の第１電線１３及び第２電線１４により構成されるもの）は、アウトサイドハンドル１に設けられた挿通孔を通過して、車両ドア内に配置され、車両ドア内の本体機または中継装置に接続される。中継装置とは、本体機とアンテナモジュール１０とを中継する装置である。
【００１７】
＜第１実施形態＞
図３〜図１０を参照して、アンテナモジュール１０の一例を説明する。
なお、アンテナモジュール１０の前後方向、車幅方向及び上下方向は、アンテナモジュール１０を車両ドアのアウトサイドハンドル１に搭載したときの配置を基準にして定義される。具体的には、アンテナモジュール１０の「前方」及び「後方」とは、車両の前方及び後方と一致する。アンテナモジュール１０における「内方」とは、車幅方向において車内に向く方向を示す。アンテナモジュール１０における「外方」とは、内方の反対方向を示す。アンテナモジュール１０における「上」とは、アンテナモジュール１０を車両ドアのアウトサイドハンドル１に搭載したときの上を示す。下は、「上」の反対側である。
【００１８】
図３及び図４に示されるように、アンテナモジュール１０は、ベース１１と、コンデンサ１２と、コイル１３ｂを有する第１電線１３と、第２電線１４と、磁性体コア１５とを備える。磁性体コア１５は、棒状に構成されて、コイル１３ｂに挿通する。磁性体コア１５は、例えばフェライトにより構成される。コンデンサ１２とコイル１３ｂとは直列に接続される。すなわち、アンテナモジュール１０は、直列ＬＣ回路を構成する。コンデンサ１２は、本体部１２ａと、本体部１２ａから延びる２本のリード端子（以下、それぞれを「第１端子１２ｂ」及び「第２端子１２ｃ」という。）とを備える。
【００１９】
第１電線１３及び第２電線１４は、銅等により構成される導体と、導体を被覆する被覆層とを有する。被覆層は絶縁性及び防水性を兼ね備える。第１電線１３及び第２電線１４の両端は、導体が露出し、一方端は、コンデンサ１２に接続し、他方端は、コネクタに接続する。以下では、第１電線１３において、コンデンサ１２に接続する導体露出端部を「接続部１３ａ」という。
【００２０】
図５〜図８を参照してベース１１について説明する。
ベース１１は、磁性体コア１５を収容する部分（以下、「コア収容部２０」という。）と、コンデンサ１２を収容する部分（以下、「コンデンサ収容部４０」という。）とを備える。コンデンサ収容部４０は、コア収容部２０の前側に配置される。このようなベース１１は樹脂で構成される。
【００２１】
図６及び図７に示されるように、コア収容部２０は、磁性体コア１５が収容される凹部２２を有する。コア収容部２０において磁性体コア１５が配置される部分の中間辺り（以下、単に「中間部２１」という。）には、第１電線１３が螺旋状に巻かれる。なお、第１電線１３が巻いている部分が上述のコイル１３ｂになる。
【００２２】
コア収容部２０の中間部２１には、螺旋状に巻かれるように第１電線１３を案内する案内溝２１ａ（図４参照）が設けられている。
コア収容部２０の外面（車幅方向の外方を向く面）において、中間部２１よりも前側には、第１爪２３が設けられている。コア収容部２０の外面において、中間部２１よりも後側には、第２爪２４が設けられている。第１爪２３及び第２爪２４は、モジュール収容室３内の当接部の内面３ａ（車幅方向の内方に向く面。図２参照。）に当接する。
【００２３】
コア収容部２０において側面（上面及び下面）には、第３爪２５及び第４爪２６が設けられている。第３爪２５及び第４爪２６は、モジュール収容室３の側面（上面または下面）に当接する。第１爪２３〜第４爪２６それぞれは、弾性を有し、先端部がモジュール収容室３の面に当接するときに撓むように構成されている。このようにして、アンテナモジュール１０は、振動または衝撃等に起因して位置ずれが生じないように、モジュール収容室３内で保持される。
【００２４】
また、コア収容部２０には、第１電線１３を案内するための５個の案内爪（以下、それぞれを「第１案内爪３１」〜「第５案内爪３５」という。）が設けられている。第１案内爪３１〜第４案内爪３４は、コア収容部２０の一方の側面から突出し、第５案内爪３５は、コア収容部２０の他方の側面から突出する。そして、第１案内爪３１は、コイル１３ｂよりも後側に配置され、第２案内爪３２〜第５案内爪３５は、コイル１３ｂよりも前側に配置される。また、コア収容部２０からコンデンサ収容部４０に向かって、第２案内爪３２、第３案内爪３３、第４案内爪３４の順に配置される。第５案内爪３５は、コア収容部２０の長手方向において第２案内爪３２よりもコイル１３ｂ側に配置される。第１案内爪３１〜第５案内爪３５は、第１電線１３が引っ掛かるように鉤形状に構成される。例えば、第１案内爪３１〜第５案内爪３５は、第１電線１３が引っ掛けられ得るように直角または鋭角に屈曲する。
【００２５】
第１電線１３は、コイル１３ｂと、コイル１３ｂの後側の端から延びる部分（以下、「第１延長部１３ｃ」という。）と、コイル１３ｂの前側の端から延びる部分（以下、「第２延長部１３ｄ」という。）とに区分される。
【００２６】
第１延長部１３ｃは、上述の接続部１３ａを有する。第１延長部１３ｃは、一旦、後方の向かうように配線されて、第１案内爪３１で延長方向が反転され、第２案内爪３２、第３案内爪３３、第４案内爪３４の順に係合して、これらに案内され、その接続部１３ａがコンデンサ収容部４０の第１収容部５１に配置される（図３〜図７参照）。
【００２７】
第２延長部１３ｄは、第５案内爪３５、第２案内爪３２、第３案内爪３３、第４案内爪３４の順に係合して、これらに案内されて、後述のコンデンサ収容部４０に設けられている案内爪４７に案内される（図３及び図４参照）。なお、第２延長部１３ｄは、ハーネス１７の一部を構成する。
【００２８】
図８〜図１０を参照して、コンデンサ収容部４０について説明する。
コンデンサ収容部４０は、コンデンサ１２を収容する。好ましくは、コンデンサ収容部４０には、更に、ランド部材１６が配置される（図９参照）。ランド部材１６は、金属板（例えば銅板）または金属層を含む板（例えば、銅基板）により構成される。ランド部材１６は、コンデンサ１２の端子と電線１３，１４の接続部１３ａ，１４ａとを接続する半田６１を盛るための基板として用いられる。
【００２９】
コンデンサ収容部４０は、コンデンサ１２の第１端子１２ｂの一部分を収容する第１収容部５１と、コンデンサ１２の第２端子１２ｃの一部分を収容する第２収容部５２と、コンデンサ１２の本体部１２ａを収容する第３収容部５３とを有する。好ましくは、第１収容部５１及び第２収容部５２それぞれにランド部材１６が配置される。
【００３０】
例えば、コンデンサ収容部４０は、底壁４１と、底壁４１を囲むように設けられる周壁４２とを備える。底壁４１と周壁４２とにより構成される箱形状の空間は、上述の第１収容部５１と、第２収容部５２と、第３収容部５３に区画される。周壁４２において、第１収容部５１及び第２収容部５２を構成する壁部には、第１端子１２ｂの先端及び第２端子１２ｃの先端が配置される凹部４２ａが設けられている。
【００３１】
第１収容部５１と第２収容部５２との間には隔壁４３が設けられる。第３収容部５３と第１収容部５１との間には、第１端子１２ｂ及び第１電線１３を保持する第１保持部４４が設けられる。第３収容部５３と第２収容部５２との間には、第２端子１２ｃ及び第２電線１４を保持する第２保持部４５が設けられる。更に、第３収容部５３には、底壁４１から垂直に突出する突出部４６が設けられている。突出部４６は、第１端子１２ｂの根元と第２端子１２ｃの根元との間に挿通し（図９参照）、コンデンサ１２の本体部１２ａを位置決めする。
【００３２】
第１保持部４４は、第１電線１３が挿通する溝（以下、「第１電線用溝４４ａ」という。）と、コンデンサ１２の第１端子１２ｂが挿通する溝（以下、「第１端子用溝４４ｂ」という。）とを有する。第１端子用溝４４ｂの溝幅は、第１端子１２ｂの直径と等しいか若干小さく、かつ開口側（底壁４１と反対側。以下同じ。）に向かって溝幅は広がる。第１電線用溝４４ａの溝幅は、第１電線１３の直径（導体と被覆樹脂層とを有する部分の直径）と等しいか若干小さく、かつ開口側に向かって溝幅は広がる。また、好ましくは、第１電線用溝４４ａの延長方向（当該溝を構成する平行な一対の面の一方の面と、底壁４１が構成する面との交線の延びる方向。以下、溝の方向というときは同じ。）と第１端子用溝４４ｂの延長方向とは交差する。更に、第１電線用溝４４ａの延長方向と第１端子用溝４４ｂの延長方向との交差部は、第１収容部５１内にあることが好ましい（以下この構造を「第１の交差構造」という。）。
【００３３】
第２保持部４５は、第２電線１４が挿通する溝（以下、「第２電線用溝４５ａ」という。）と、コンデンサ１２の第２端子１２ｃが挿通する溝（以下、「第２端子用溝４５ｂ」という。）とを有する。第２端子用溝４５ｂの溝幅は、第２端子１２ｃの直径と等しいか若干小さく、かつ開口側に向かって溝幅は広がる。第２電線用溝４５ａの溝幅は、第２電線１４の直径と等しいか若干小さく、かつ開口側に向かって溝幅は広がる。また、好ましくは、第２電線用溝４５ａの延長方向と第２端子用溝４５ｂの延長方向とは交差する（図９参照）。更に、第２電線用溝４５ａの延長方向と第２端子用溝４５ｂの延長方向との交差部は、第２収容部５２内にあることが好ましい（以下この構造を「第２の交差構造」という。）。
【００３４】
図９に示されるように、コンデンサ１２の第１端子１２ｂは、第１端子用溝４４ｂに挿通し、第１端子１２ｂの一部分が第１収容部５１に配置される。第１電線１３における被覆部分は、第１電線用溝４４ａに挿通し、接続部１３ａが第１収容部５１に配置される。そして、好ましくは、上述の第１の交差構造によって、第１端子１２ｂと第１電線１３の接続部１３ａが交わるように配置される。
【００３５】
また、同様に、コンデンサ１２の第２端子１２ｃは、第２端子用溝４５ｂに挿通し、第２端子１２ｃの一部分が第２収容部５２に配置される。第２電線１４における被覆部分は、第２電線用溝４５ａに挿通し、接続部１４ａが第２収容部５２に配置される。そして、好ましくは、上述の第２の交差構造によって、第２端子１２ｃと第２電線１４の接続部１４ａが交わるように配置される。
【００３６】
図１０に示されるように、コンデンサ１２の端子１２ｂ，１２ｃと電線１３，１４の接続部１３ａ，１４ａとは半田接続される。好ましくは、コンデンサ１２の端子１２ｂ，１２ｃと電線１３，１４の接続部１３ａ，１４ａとの半田接続には、ランド部材１６が用いられる。例えば、第１電線１３の接続部１３ａとコンデンサ１２の第１端子１２ｂとは、ランド部材１６の上で交差するように配置される。そして、少なくとも交差部分が半田６１で覆われるようにランド部材１６に半田６１が盛られる。第２電線１４の接続部１４ａとコンデンサ１２の第２端子１２ｃとの半田接続構造も、第１電線１３の接続部１３ａとコンデンサ１２の第１端子１２ｂとの半田接続構造と同様である。
【００３７】
電線１３，１４の接続部１３ａ，１４ａ（すなわち導体露出端部）と、コンデンサ１２の端子とは、封止樹脂６０で封止される。具体的には、コンデンサ収容部４０に封止樹脂６０が充填されて、コンデンサ１２の全体が封止樹脂６０で封止される（図３参照）。
【００３８】
また、コンデンサ収容部４０には、第２電線１４を巻き付けるための案内爪４７が設けられている。
案内爪４７は、周壁４２から外側（周壁４２内とは反対側）に延びる基部４７ａと、基部４７ａから延びる突起部４７ｂと、抜け止４７ｃとを有する。案内爪４７の突起部４７ｂは、周壁４２の一部分に接近するように設けられる。そして、突起部４７ｂの端面は周壁４２の近くに配置され、突起部４７ｂの先端と周壁４２との間の隙間の幅長ＬＡは、第２電線１４が挿通する程度の距離に設定される。抜け止４７ｃは、基部４７ａの根元から所定距離分（例えば、第２電線１４の直径の２倍の長さ）だけ離れたところで基部４７ａから突出するように設けられる。このような抜け止４７ｃは、基部４７ａの根元付近に巻かれた第２電線１４が案内爪４７から抜けることを阻止する。
【００３９】
第２電線１４は、案内爪４７に巻き付くことでコンデンサ収容部４０に支持される。そして、第２電線１４の接続部１４ａは、上述のように第２収容部５２に配置されてコンデンサ１２の第２端子１２ｃに半田接続される。
【００４０】
第１電線１３の第２延長部１３ｄにおいて案内爪４７に係合した部分から延びる延長部分と、第２電線１４において案内爪４７に巻き付いた部分から延びる延長部分とは、ハーネス１７を構成する。ハーネス１７の末端部にはコネクタが取り付けられる。
【００４１】
アンテナモジュール１０の作用を説明する。
従来のアンテナモジュールでは、コイルと、ハーネスとは別部材で構成されている。そして、コイルの一方の端部は、ハーネスを構成する一方の電線に直接または導体部品を介して接続される。これに対して、上記構成のアンテナモジュール１０では、第１電線１３は、コイル１３ｂと、コイル１３ｂから延びる第２延長部１３ｄとを有し、この第２延長部１３ｄは、ハーネス１７を構成する一つの電線として機能する。このように、上記構成のアンテナモジュール１０は、従来構造では存在した、コイルとハーネスとの接続構造が存在しない。従って、上記構成のアンテナモジュール１０の構造は従来構造に比べて簡潔である。
【００４２】
アンテナモジュール１０の効果を説明する。
（１）上記実施形態では、アンテナモジュール１０は、コイル１３ｂを有する第１電線１３を備える。そして、コンデンサ１２の第１端子１２ｂと第１電線１３の接続部１３ａとは、第１収容部５１内で接続される。また、第１電線１３の第２延長部１３ｄ（すなわち、第１電線１３において接続部１３ａとは反対側の部分）と第２電線１４とは、ハーネス１７を構成する。このように、本実施形態のアンテナモジュール１０は、従来のアンテナモジュールに比べて構造が簡潔である。
【００４３】
（２）上記実施形態では、第３収容部５３と第１収容部５１との間には、第１保持部４４が設けられている。第１保持部４４は、コンデンサ１２の第１端子１２ｂと第１電線１３とを保持する。第３収容部５３と第２収容部５２との間には、第２保持部４５が設けられている。第２保持部４５は、コンデンサ１２の第２端子１２ｃと第２電線１４とを保持する。この構成によれば、半田接続の際、コンデンサ１２の端子と電線とを手で保持する必要がない。すなわち、この構成は、製造工程の簡略化に寄与する。
【００４４】
例えば、上述のように、第１保持部４４は、コンデンサ１２の第１端子１２ｂを挟持する第１端子用溝４４ｂと、第１電線１３を挟持する第１電線用溝４４ａとを有する。第２保持部４５は、コンデンサ１２の第２端子１２ｃを挟持する第２端子用溝４５ｂと、第２電線１４を挟持する第２電線用溝４５ａを有する。
【００４５】
（３）更に、好ましくは、第１端子用溝４４ｂの延長方向と第１電線用溝４４ａの延長方向とが交差し、第２端子用溝４５ｂの延長方向と第２電線用溝４５ａの延長方向とが交差する。この構成により、コンデンサ１２の端子と電線１３，１４の接続部１３ａ，１４ａとが良好に接続される。特に、両者を半田接続する場合、コンデンサ１２の端子と電線１３，１４の接続部１３ａ，１４ａとが共に半田６１で埋まり易くなるため、半田付け作業が簡単になるというメリットがある。
【００４６】
（４）また、コンデンサ収容部４０が封止樹脂６０で充填されている。これにより、コンデンサ１２及び電線１３，１４の接続部１３ａ，１４ａに水が付着することが抑制され、この結果、コンデンサ１２の第１端子１２ｂ、第２端子１２ｃ、第１電線１３の接続部１３ａ、第２電線１４の接続部１４ａ、及びこれらの接続部１３ａ，１４ａが酸化により劣化することが抑制される。
【００４７】
（５）実施形態では、第２電線１４は、コンデンサ収容部４０の案内爪４７に巻かれている。
ハーネス１７の端部が他の装置に接続されるとき、ハーネス１７が引っ張られるおそれがある。ハーネス１７が引っ張られると、第２電線１４を介して、第２電線１４の接続部１４ａとコンデンサ１２の第２端子１２ｃとの半田接続部分に応力が加わる。このため、半田接続部分に亀裂（半田６１の亀裂）または剥離（第２電線１４の接続部１４ａと半田６１との間の剥離または封止樹脂６０の剥離）が生じるおそれがある。この点、上記構成によれば、ハーネス１７が引っ張られると、第２電線１４では、案内爪４７に巻き付いた部分が締まるようになるため、第２電線１４において案内爪４７からコンデンサ１２の第２端子１２ｃまでの部分には力が加わり難く、第２電線１４の接続部１４ａとコンデンサ１２の第２端子１２ｃとの半田接続部分に加わる応力が低減する。このため、ハーネス１７が引っ張られることに起因して半田接続部分で半田６１の亀裂、剥離、または樹脂剥離が発生することが抑制される。なお、第１電線１３に力が加わるとコイル１３ｂが締まるようになるため、第１電線１３の接続部１３ａとコンデンサ１２の第１端子１２ｂとの半田接続部分には応力が生じ難い。
【００４８】
（６）また、本実施形態では、ベース１１は、コンデンサ収容部４０とコア収容部２０とは一体の部品として構成されている。このため、アンテナモジュール１０は、これらが別体として構成されるものに比べて、部品数が少なく、部品管理の面でメリットがある。
【００４９】
＜第２実施形態＞
図１１及び図１２を参照して、アンテナモジュール１１０の別の例を説明する。
本実施形態に係るアンテナモジュール１１０は、ベース１１１が、コア収容部２０を含む部分と、コンデンサ収容部４０を含む部分とが別体になっている点で、第１実施形態に係るアンテナモジュール１０と相違する。以下、この点について説明する。なお、本実施形態において、第１実施形態に係るアンテナモジュール１０と同じ構成については、第１実施形態に係るアンテナモジュール１０に付した符号と同じ符号を付して説明する。
【００５０】
ベース１１１は、磁性体コア１５を収容する部分（コア収容部２０）を有する第１部材１２０と、コンデンサ１２を収容する部分（コンデンサ収容部４０）とを有する第２部材１３０とにより構成される。
【００５１】
図１２（ａ）に示されるように、第１部材１２０は、第２部材１３０が係合する第１係合部１２１を有する。第１係合部１２１は、貫通孔１２２を有し、第１部材１２０において第２部材１３０側に突出する。
【００５２】
図１２（ｂ）に示されるように、第２部材１３０は、第１部材１２０の第１係合部１２１に係合する第２係合部１３１を有する。
第２係合部１３１は、第２部材１３０において第１部材１２０側に突出するように設けられる。例えば、第２係合部１３１は、第１係合部１２１の貫通孔１２２に挿通する係合爪１３２と、係合爪１３２の周囲に配置される当接部１３３とにより構成される。係合爪１３２は返し部１３２ａを有する。返し部１３２ａは、第１係合部１２１において貫通孔１２２の周囲部に係合する。係合爪１３２が貫通孔１２２に挿通すると、返し部１３２ａが第１係合部１２１の一方の面に当接し、当接部１３３が、第１係合部１２１の他方の面（一方の面とは反対側の面）に当接する。この構造により、第１係合部１２１と第２係合部１３１との係合が外れ難くなる。
【００５３】
なお、本実施形態では、第２部材１３０には、コンデンサ１２の第１端子１２ｂ及び第２端子１２ｃを個別に保持する凹部１４２ａが設けられている。これにより、第１端子１２ｂが第１収容部５１の所定のところに位置決めされ、また、第２端子１２ｃが第２収容部５２の所定のところに位置決めされる。また、本実施形態では、第２電線１４を案内する案内爪１４７は、基部１４７ａと、基部１４７ａから延びる突起部１４７ｂとを備える。基部１４７ａは、コンデンサ収容部４０を構成する周壁１４２において、コンデンサ１２の本体部１２ａ側の部分から延びる。突起部１４７ｂは、周壁１４２においてコンデンサ１２の端子側の部分に向かって延びる。
【００５４】
以上のアンテナモジュール１１０は、次の効果を奏する。
ベース１１１は、コア収容部２０と同様の構造を含む第１部材１２０と、コンデンサ収容部４０と同様の構造を含む第２部材１３０とが係合で結合されたものである。このため、第１部材１２０の組み立てと、第２部材１３０の組み立てとを別の場所で行ったり、並行して行ったりすることが出来る。なお、第１部材１２０の組み立てとは、コア収容部２０の相当部分に磁性体コア１５を取り付けてこれに第１電線１３を巻く作業を示す。第２部材１３０の組み立てとは、コンデンサ収容部４０の相当部分にコンデンサ１２を配置してコンデンサ１２の第２端子１２ｃと第２電線１４の接続部１４ａとを接続する作業を示す。
【００５５】
＜その他の実施形態＞
・第１実施形態では、第１保持部４４には、第１電線用溝４４ａと第１端子用溝４４ｂとが設けられているが、これらを一つに纏められ得る。具体的には、第１保持部４４には、第１電線１３と第１端子１２ｂとが挿通する共通の溝が設けられ得る。共通の溝では、例えば、底壁４１に向かって幅狭になるように構成され、第１電線１３及び第１端子１２ｂのうち小径のものが底壁４１側に配置される。第２保持部４５についても、第１保持部４４の変更例と同様に変更され得る。
【００５６】
・第１及び第２実施形態では、アンテナモジュール１０，１１０はアウトサイドハンドル１に内蔵されているが、その配置はこれに限定されない。例えば、アンテナモジュール１０，１１０は、車両ドア、車両の乗降口に配置され得る。
【符号の説明】
【００５７】
１…アウトサイドハンドル、２…グリップ部、３…モジュール収容室、３ａ…内面、４…第１突出部、５…第２突出部、１０…アンテナモジュール、１１…ベース、１２…コンデンサ、１２ａ…本体部、１２ｂ…第１端子、１２ｃ…第２端子、１３…第１電線、１３ａ…接続部、１３ｂ…コイル、１３ｃ…第１延長部、１３ｄ…第２延長部、１４…第２電線、１４ａ…接続部、１５…磁性体コア、１６…ランド部材、１７…ハーネス、２０…コア収容部、２１…中間部、２１ａ…案内溝、２２…凹部、２３…第１爪、２４…第２爪、２５…第３爪、２６…第４爪、３１…第１案内爪、３２…第２案内爪、３３…第３案内爪、３４…第４案内爪、３５…第５案内爪、４０…コンデンサ収容部、４１…底壁、４２…周壁、４２ａ…凹部、４３…隔壁、４４…第１保持部、４４ａ…第１電線用溝、４４ｂ…第１端子用溝、４５…第２保持部、４５ａ…第２電線用溝、４５ｂ…第２端子用溝、４６…突出部、４７…案内爪、４７ａ…基部、４７ｂ…突起部、４７ｃ…抜け止、５１…第１収容部、５２…第２収容部、５３…第３収容部、６０…封止樹脂、６１…半田、１１０…アンテナモジュール、１１１…ベース、１２０…第１部材、１２１…第１係合部、１２２…貫通孔、１３０…第２部材、１３１…第２係合部、１３２…係合爪、１３２ａ…返し部、１３３…当接部、１４２…周壁、１４２ａ…凹部、１４７…案内爪、１４７ａ…基部、１４７ｂ…突起部。
【図１】
0006700585.tif 000002
【図２】
0006700585.tif 000003
【図３】
0006700585.tif 000004
【図４】
0006700585.tif 000005
【図５】
0006700585.tif 000006
【図６】
0006700585.tif 000007
【図７】
0006700585.tif 000008
【図８】
0006700585.tif 000009
【図９】
0006700585.tif 000010
【図１０】
0006700585.tif 000011
【図１１】
0006700585.tif 000012
【図１２】
0006700585.tif 000013